(57)【要約】  【課題】  電子メールを元にした投稿や、ファイルを添付する投稿を容易にするＷｅｂ投稿管理サーバ、Ｗｅｂ投稿管理方法、Ｗｅｂ投稿管理プログラムを提供する  【解決手段】  クライアントから投稿された投稿情報を管理するＷｅｂ投稿管理サーバ２であって、クライアントから送信された電子メールを保管するメール保管部２２と、メール保管部において保管されている電子メールのうち所定の条件を満たす電子メールの一覧情報を作成し、一覧情報をクライアントに表示させる一覧情報表示部と、クライアントにより前記一覧情報から選択された電子メールに基づいて投稿情報を作成し、投稿情報をクライアントに表示させる投稿情報表示部と、投稿情報がクライアントにより送信された場合、送信された投稿情報を管理する投稿情報管理部とを備えた。  【選択図】  図１
2006113969.tif 000002
【特許請求の範囲】
【請求項１】
クライアントから投稿された投稿情報を管理するＷｅｂ投稿管理サーバであって、
クライアントから送信された電子メールを保管するメール保管部と、
前記メール保管部において保管されている電子メールのうち所定の条件を満たす電子メールの一覧情報を作成し、該一覧情報をクライアントに表示させる一覧情報表示部と、
クライアントにより前記一覧情報から選択された電子メールに基づいて投稿情報を作成し、該投稿情報をクライアントに表示させる投稿情報表示部と、
前記投稿情報がクライアントにより送信された場合、送信された前記投稿情報を管理する投稿情報管理部と、
を備えてなるＷｅｂ投稿管理サーバ。
【請求項２】
請求項１に記載のＷｅｂ投稿管理サーバにおいて、
前記投稿情報管理部は更に、前記投稿情報を前記メール保管部への電子メールとして送信することを特徴とするＷｅｂ投稿管理サーバ。
【請求項３】
請求項１または請求項２に記載のＷｅｂ投稿管理サーバにおいて、
前記一覧情報と前記投稿情報は、添付ファイルの情報を含むことを特徴とするＷｅｂ投稿管理サーバ。
【請求項４】
クライアントから投稿された投稿情報を管理するＷｅｂ投稿管理方法であって、
クライアントから送信された電子メールを保管するメール保管ステップと、
前記メール保管ステップにおいて保管されている電子メールのうち所定の条件を満たす電子メールの一覧情報を作成し、該一覧情報をクライアントに表示させる一覧情報表示ステップと、
クライアントにより前記一覧情報から選択された電子メールに基づいて投稿情報を作成し、該投稿情報をクライアントに表示させる投稿情報表示ステップと、
前記投稿情報がクライアントにより送信された場合、送信された前記投稿情報を管理する投稿情報管理ステップと、
を備えてなるＷｅｂ投稿管理方法。
【請求項５】
クライアントから投稿された投稿情報を管理するＷｅｂ投稿管理方法をコンピュータに実行させるＷｅｂ投稿管理プログラムであって、
クライアントから送信された電子メールを保管するメール保管ステップと、
前記メール保管ステップにおいて保管されている電子メールのうち所定の条件を満たす電子メールの一覧情報を作成し、該一覧情報をクライアントに表示させる一覧情報表示ステップと、
クライアントにより前記一覧情報から選択された電子メールに基づいて投稿情報を作成し、該投稿情報をクライアントに表示させる投稿情報表示ステップと、
前記投稿情報がクライアントにより送信された場合、送信された前記投稿情報を管理する投稿情報管理ステップと、
をコンピュータに実行させるＷｅｂ投稿管理プログラム。
【発明の詳細な説明】
【技術分野】
【０００１】
本発明は、Ｗｅｂ上に文書やファイルを投稿するためのＷｅｂ投稿管理サーバ、Ｗｅｂ投稿管理方法、Ｗｅｂ投稿管理プログラムに関するものである。
【背景技術】
【０００２】
従来のＷｅｂ投稿システムについて説明する。Ｗｅｂ投稿システムは、電子会議等の機能を持つグループウェアに用いられており、クライアントがＷｅｂ上で文書やファイルをサーバにアップロードするものである。クライアントは、ＰＣ（Personal Computer）やワークステーション等のコンピュータで構成される。
【０００３】
ここでは、従来のＷｅｂ投稿システムのクライアントにおいて、メーラーにおける受信メールの文書及び添付ファイルを元に投稿を行う場合について説明する。図８は、従来のＷｅｂ投稿システムの構成の一例を示すブロック図である。このＷｅｂ投稿システムは、クライアント１０１、Ｗｅｂ投稿管理サーバ１０２、メールサーバ３ａを備える。クライアント１０１は、メーラー１１、ファイル管理部１１２、ブラウザ１３を備える。Ｗｅｂ投稿管理サーバ１０２は、投稿管理部１２１を備える。
【０００４】
メールサーバ３ａは、クライアント１０１のユーザのメールアカウントを管理する。メーラー１１は、クライアント１０１のユーザが電子メールの送受信、編集、閲覧を行うための機能であり、ファイル管理部１１２は、クライアント１０１のユーザがクライアント１０１内の記憶装置を管理するための機能であり、ブラウザ１３は、クライアント１０１のユーザがＷｅｂ投稿管理サーバ１０２等のＷｅｂサーバにアクセスするための機能である。
【０００５】
クライアント１０１がメールサーバ３ａから受信した受信メールの文章を投稿に用いる場合、ユーザは、クライアント１０１においてメーラー１１とブラウザ１３の両方を起動し、メーラー１１において投稿の元となる受信メールを表示させ、ブラウザ１３において投稿管理部１２１が提供する投稿画面を表示させ、受信メールの文章を投稿画面にコピー＆ペーストして投稿画面を編集していた。
【０００６】
また、受信メールの添付ファイルを投稿に用いる場合、ユーザは、メーラー１１において受信メールの添付ファイルを一旦クライアントのファイル管理部１１２に保存してから、ブラウザ１３またはＦＴＰ（File Transfer Protocol）等のソフトウェアにより、ファイル管理部１１２の添付ファイルを投稿管理部１２１にアップロードしていた。
【０００７】
なお、本発明の関連ある従来技術として、例えば、下記に示す特許文献１が知られている。この文書管理システムによれば、文書に関する情報をデータベースに仮登録し、仮登録文書の承認をユーザに依頼し、本登録を行うことにより、文書の授受を確実に行うことができる。
【特許文献１】特開２００３−７６８２２号公報  （第５−１０頁、第１図）
【発明の開示】
【発明が解決しようとする課題】
【０００８】
しかしながら、受信メールの本文を投稿に利用する場合、クライアント１０１においてメーラー１１とブラウザ１３の両方を操作する必要があった。また、１つの文書を複数のＷｅｂ投稿管理サーバに投稿する場合、投稿する文章を１つ１つ投稿画面にコピー＆ペーストするため、文章が大量になるほど手間と時間がかかっていた。また、投稿前の編集中の文書を一時保存する場合、文書をファイルとしてクライアント１０１内に保存しなければならず、そのクライアント１０１上でしか、編集を再開することはできなかった。
【０００９】
また、受信メールの添付ファイルを投稿に用いる場合、ユーザは、添付ファイルをクライアント１０１内に保存する必要があり、ユーザの手間がかかっていた。また、投稿する添付ファイルは、用途や投稿先によって異なるため、投稿前にそれぞれ別に用意しておく必要があった。
【００１０】
本発明は上述した問題点を解決するためになされたものであり、電子メールを元にした投稿や、ファイルを添付する投稿を容易にするＷｅｂ投稿管理サーバ、Ｗｅｂ投稿管理方法、Ｗｅｂ投稿管理プログラムを提供することを目的とする。
【課題を解決するための手段】
【００１１】
上述した課題を解決するため、本発明は、クライアントから投稿された投稿情報を管理するＷｅｂ投稿管理サーバであって、クライアントから送信された電子メールを保管するメール保管部と、前記メール保管部において保管されている電子メールのうち所定の条件を満たす電子メールの一覧情報を作成し、該一覧情報をクライアントに表示させる一覧情報表示部と、クライアントにより前記一覧情報から選択された電子メールに基づいて投稿情報を作成し、該投稿情報をクライアントに表示させる投稿情報表示部と、前記投稿情報がクライアントにより送信された場合、送信された前記投稿情報を管理する投稿情報管理部とを備えたものである。
【００１２】
また、本発明に係るＷｅｂ投稿管理サーバにおいて、前記投稿情報管理部は更に、前記投稿情報を前記メール保管部への電子メールとして送信することを特徴とするものである。
【００１３】
また、本発明に係るＷｅｂ投稿管理サーバにおいて、前記一覧情報と前記投稿情報は、添付ファイルの情報を含むことを特徴とするものである。
【００１４】
また、本発明に係るＷｅｂ投稿管理サーバにおいて、前記所定の条件は、電子メールの送信元メールアドレスが所定のメールアドレスに一致する場合であることを特徴とするものである。
【００１５】
また、本発明に係るＷｅｂ投稿管理サーバにおいて、更に、受信してから一定の期間が経過した電子メールを削除する自動メール削除部を備えることを特徴とするものである。
【００１６】
また、本発明に係るＷｅｂ投稿管理サーバにおいて、更に、クライアントにより前記一覧情報から選択された電子メールを削除する手動メール削除部を備えることを特徴とするものである。
【００１７】
また、本発明は、クライアントから投稿された投稿情報を管理するＷｅｂ投稿管理方法であって、クライアントから送信された電子メールを保管するメール保管ステップと、前記メール保管ステップにおいて保管されている電子メールのうち所定の条件を満たす電子メールの一覧情報を作成し、該一覧情報をクライアントに表示させる一覧情報表示ステップと、クライアントにより前記一覧情報から選択された電子メールに基づいて投稿情報を作成し、該投稿情報をクライアントに表示させる投稿情報表示ステップと、前記投稿情報がクライアントにより送信された場合、送信された前記投稿情報を管理する投稿情報管理ステップとを備えたものである。
【００１８】
また、本発明に係るＷｅｂ投稿管理方法において、前記投稿情報管理ステップは更に、前記投稿情報を前記メール保管ステップへの電子メールとして送信することを特徴とするものである。
【００１９】
また、本発明に係るＷｅｂ投稿管理方法において、前記一覧情報と前記投稿情報は、添付ファイルの情報を含むことを特徴とするものである。
【００２０】
また、本発明に係るＷｅｂ投稿管理方法において、前記所定の条件は、電子メールの送信元メールアドレスが所定のメールアドレスに一致する場合であることを特徴とするものである。
【００２１】
また、本発明に係るＷｅｂ投稿管理方法において、更に、受信してから一定の期間が経過した電子メールを削除する自動メール削除ステップを備えることを特徴とするものである。
【００２２】
また、本発明に係るＷｅｂ投稿管理方法において、更に、クライアントにより前記一覧情報から選択された電子メールを削除する手動メール削除ステップを備えることを特徴とするものである。
【００２３】
また、本発明は、クライアントから投稿された投稿情報を管理するＷｅｂ投稿管理方法をコンピュータに実行させるＷｅｂ投稿管理プログラムであって、クライアントから送信された電子メールを保管するメール保管ステップと、前記メール保管ステップにおいて保管されている電子メールのうち所定の条件を満たす電子メールの一覧情報を作成し、該一覧情報をクライアントに表示させる一覧情報表示ステップと、クライアントにより前記一覧情報から選択された電子メールに基づいて投稿情報を作成し、該投稿情報をクライアントに表示させる投稿情報表示ステップと、前記投稿情報がクライアントにより送信された場合、送信された前記投稿情報を管理する投稿情報管理ステップとをコンピュータに実行させるものである。
【００２４】
また、本発明に係るＷｅｂ投稿管理プログラムにおいて、前記投稿情報管理ステップは更に、前記投稿情報を前記メール保管ステップへの電子メールとして送信することを特徴とするものである。
【００２５】
また、本発明に係るＷｅｂ投稿管理プログラムにおいて、前記一覧情報と前記投稿情報は、添付ファイルの情報を含むことを特徴とするものである。
【００２６】
また、本発明に係るＷｅｂ投稿管理プログラムにおいて、前記所定の条件は、電子メールの送信元メールアドレスが所定のメールアドレスに一致する場合であることを特徴とするものである。
【００２７】
また、本発明に係るＷｅｂ投稿管理プログラムにおいて、更に、受信してから一定の期間が経過した電子メールを削除する自動メール削除ステップを備えることを特徴とするものである。
【００２８】
また、本発明に係るＷｅｂ投稿管理プログラムにおいて、更に、クライアントにより前記一覧情報から選択された電子メールを削除する手動メール削除ステップを備えることを特徴とするものである。
【発明の効果】
【００２９】
本発明によれば、投稿時において、文書のコピー＆ペーストや、添付ファイルの保存等の作業が不要となり、ユーザの負担が大幅に軽減される。特に、メーラーの転送等の機能を用いれば、既存の電子メールの文書や添付ファイルをそのまま利用することができる。また、Ｗｅｂ投稿管理サーバが投稿文書メールを保管し、ユーザ認証を行うことにより、ユーザ全員の文書が他人に参照されることなく、セキュリティを確保できる。また、投稿画面において、編集の途中の文書を一時保存することができるとともに、編集を再開するときでも他の投稿文書メールと同様に扱うことができる。また、ユーザは、投稿文書メールを削除することができるだけでなく、Ｗｅｂ投稿管理サーバが自動で削除することにより、メール保管部における投稿文書メールの容量の増大を抑制することができる。また、Ｗｅｂ投稿管理サーバに保管された投稿文書メールの添付ファイルのうち、必要な添付ファイルだけを選択して投稿することができる。
【発明を実施するための最良の形態】
【００３０】
以下、本発明の実施の形態について図面を参照しつつ説明する。
【００３１】
図１は、本発明に係るＷｅｂ投稿システムの構成の一例を示すブロック図である。図１において、図８と同一符号は図８に示された対象と同一又は相当物を示しており、ここでの説明を省略する。また、図８と比較して、図１のＷｅｂ投稿システムは新たにメールサーバ３ｂを備える。また、図８と比較して、図１のＷｅｂ投稿システムはＷｅｂ投稿管理サーバ１０２の代わりにＷｅｂ投稿管理サーバ２を備える。ここで、メールサーバ３ａは、クライアント１のユーザのメールアカウントを管理し、メールサーバ３ｂは、Ｗｅｂ投稿管理サーバ２のメールアカウントを管理する。
【００３２】
Ｗｅｂ投稿管理サーバ１０２と比較して、Ｗｅｂ投稿管理サーバ２は新たにメール保管部２２を備える。また、Ｗｅｂ投稿管理サーバ２は、投稿管理部１２１の代わりに投稿管理部２１を備える。また、クライアント１０１と比較して、クライアント１はファイル管理部１１２を必要としない。
【００３３】
次に、投稿文書メールの作成の動作について説明する。ここで、投稿の元となる文書を電子メールにしたものを投稿文書メールと呼ぶことにする。まず、クライアント１はユーザの指示に従って、投稿に利用する文章を投稿文書メールの本文として作成する。ここで、クライアント１はユーザの指示があれば、投稿文書メールに添付ファイルを添付する。これらの投稿文書メールの作成においては、メーラー１１の転送等の機能を用いて、既存の電子メールを引用しても良い。次に、クライアント１はユーザの指示に従って、投稿文書メールの宛先をＷｅｂ投稿管理サーバ２のメールアドレスとし、作成した投稿文書メールを送信する。
【００３４】
次に、投稿文書メールの登録の動作について説明する。図２は、本発明に係るＷｅｂ投稿管理サーバにおける投稿文書メールの登録の動作の一例を示すフローチャートである。まず、Ｗｅｂ投稿管理サーバ２のメール保管部２２は、メールサーバ３ｂに届いているＷｅｂ投稿管理サーバ２宛のメールのチェックを行う（Ｓ１１）。次に、メール保管部２２は、メールサーバ３ｂにまだ受信していない投稿文書メールがあるか否かの判断を行う（Ｓ１２）。投稿文書メールがあれば（Ｓ１２，Ｙ）、投稿文書メールを受信し（Ｓ１３）、受信した投稿文書メールを登録し（Ｓ１４）、処理Ｓ１２へ戻る。一方、投稿文書メールがなければ（Ｓ１２，Ｎ）、所定の待機時間だけ待機した後（Ｓ１５）、このフローを終了し、再びこのフローを開始する。所定の待機時間とは、例えば５分である。
【００３５】
ここで、投稿文書メールの登録の詳細について説明する。メール保管部２２は、投稿文書メールに関する情報を格納する投稿文書メールデータベースを備え、受信した投稿文書メールを投稿文書メールデータベースに登録する。図３は、本発明に係る投稿文書メールデータベースの構成の一例を示す表である。投稿文書メールデータベースは、投稿文書メール毎に受信情報テーブルを備え、添付ファイル毎に添付ファイルテーブルを備える。受信情報テーブルは例えば、文書番号、メールタイトル、送信者名、送信者アドレス、本文、添付ファイル数、送信日時、受信日時の項目を持つ。添付ファイルテーブルは例えば、添付ファイル番号、ファイルパス、ファイル名の項目を持つ。
【００３６】
投稿文書メールの登録において、まず、メール保管部２２は、投稿文書メールの番号を採番し、文書番号として受信情報テーブルに格納する。次に、メール保管部２２は、メールタイトル、送信者名、送信者アドレス、本文、添付ファイル数、送信日時、受信日時を投稿文書メールから抽出し、受信情報テーブルに格納する。次に、メール保管部２２は、受信情報テーブルに登録した投稿文書メール毎に、添付ファイルの番号を文書番号の追番として採番し、添付ファイル番号として添付ファイルテーブルに格納する。次に、メール保管部２２は、添付ファイルが格納されたファイルパス、ファイル名を添付ファイルテーブルに格納する。
【００３７】
次に、投稿の動作について説明する。図４は、本発明に係る投稿の動作の一例を示すフローチャートである。ブラウザ１３がユーザの指示に従って、Ｗｅｂ投稿管理サーバ２にアクセスすると、投稿管理部２１はログイン画面をブラウザ１３に表示させる（Ｓ２１）。ブラウザ１３がログイン画面におけるユーザの指示に従って、メールアドレスやパスワード等のユーザ情報を投稿管理部２１へ送信すると、投稿管理部２１はユーザ情報を用いてユーザの認証を行う（Ｓ２２）。ユーザの認証が完了すると、投稿管理部２１は、メール保管部２２の投稿文書メールデータベースから、送信元メールアドレスが認証されたユーザのメールアドレスである投稿文書メールを抽出し、投稿文書メールのタイトルの一覧である投稿文書メール一覧情報を作成し、投稿文書メール一覧画面としてブラウザ１３に表示させる（Ｓ２３）。
【００３８】
図５は、本発明に係る投稿文書メール一覧画面の一例を示す図である。投稿文書メール一覧画面には、投稿文書メールのタイトルの一覧が表示され、タイトル毎に削除ボタンが表示される。
【００３９】
次に、投稿管理部２１は、投稿文書メール一覧画面上でタイトル毎に付属する削除ボタンがクリックされたか否かの判断を行う（Ｓ２４）。削除ボタンがクリックされた場合（Ｓ２４，Ｙ）、投稿管理部２１は、メール保管部２２において対応する投稿文書メールを削除し（Ｓ２５）、このフローを終了する。
【００４０】
一方、削除ボタンがクリックされない場合（Ｓ２４，Ｎ）、投稿文書メール一覧画面上でいずれかの投稿文書メールのタイトルがクリックされると、投稿管理部２１は選択された投稿文書メールの文書番号を認識し（Ｓ３１）、選択された投稿文書メールに添付ファイルがあるか否かの判断を行う（Ｓ３２）。添付ファイルがなければ（Ｓ３２，Ｎ）、処理Ｓ４１へ移行する。一方、添付ファイルがあれば（Ｓ３２，Ｙ）、表示している投稿文書メール一覧情報に選択された投稿文書メールの添付ファイルの一覧を加え、投稿文書メール一覧画面を更新する（Ｓ３３）。次に、ユーザの指示により投稿文書メール一覧画面上でいくつかの添付ファイルが選択され、更に投稿文書メールのタイトルがクリックされると、投稿管理部２１は、選択された添付ファイルの添付ファイル番号を認識する（Ｓ３４）。
【００４１】
図６は、本発明に係る投稿文書メール一覧画面の別の一例を示す図である。図の投稿文書メール一覧画面に加えて、選択された投稿文書メールの添付ファイルの一覧が表示され、選択された添付ファイルがチェックされている。
【００４２】
次に、投稿管理部２１は、選択された文書番号を持つ投稿文書メールのタイトルおよび本文と、選択された添付ファイル番号を持つ添付ファイルの情報とを、メール保管部２２から取得して投稿情報を作成し、投稿画面としてブラウザ１３に表示させる（Ｓ４１）。
【００４３】
図７は、本発明に係る投稿画面の一例を示す図である。投稿画面には、選択された投稿文書メールから作成された投稿情報として、タイトル、本文、添付ファイルの情報が表示され、更に投稿ボタンと一時保存ボタンが表示される。
【００４４】
次に、ブラウザ１３は、ユーザの指示に従って、投稿画面上で投稿情報の本文の編集を行う（Ｓ４２）。次に、投稿管理部２１は、投稿画面上の一時保存ボタンがクリックされたか否かの判断を行う（Ｓ４３）。一時保存ボタンがクリックされた場合（Ｓ４３，Ｙ）、投稿情報からＷｅｂ投稿管理サーバ２宛の投稿文書メールを作成し（Ｓ４４）、この投稿文書メールをメールサーバ３ｂへ送信する（Ｓ４５）。
【００４５】
一方、一時保存ボタンがクリックされない場合（Ｓ４３，Ｎ）、投稿管理部２１は、投稿画面上の投稿ボタンがクリックされたか否かの判断を行う（Ｓ５１）。投稿ボタンがクリックされた場合（Ｓ５１，Ｙ）、投稿管理部２１は、投稿画面上の投稿情報を投稿データベースに登録する（Ｓ５２）。投稿ボタンがクリックされなかった場合（Ｓ５１，Ｎ）、ユーザの指示により投稿画面がキャンセルされると（Ｓ５３）、このフローを終了する。投稿データベースに登録された投稿情報は、ブラウザ１３でＷｅｂ投稿管理サーバ２にアクセスすることにより、閲覧することができる。
【００４６】
上述したＳ２５においては、手動による投稿文書メールの削除について述べたが、更にメール保管部２２が定期的にすべての受信情報テーブルにおける受信日時を確認することにより、所定の期間が経過した投稿文書メールを自動的に削除する。
【００４７】
更に、Ｗｅｂ投稿管理サーバを構成するコンピュータに上述した各ステップを実行させるプログラムを、Ｗｅｂ投稿管理プログラムとして提供することができる。上述したプログラムは、コンピュータにより読取り可能な記録媒体に記憶させることによって、Ｗｅｂ投稿管理サーバを構成するコンピュータに実行させることが可能となる。ここで、上記コンピュータにより読取り可能な記録媒体としては、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
【００４８】
なお、一覧情報表示部と投稿情報表示部と投稿情報管理部と自動メール削除部と手動メール削除部とは、実施の形態における投稿管理部に対応する。また、一覧情報表示ステップとは、実施の形態におけるＳ２３、Ｓ３３に対応する。また、投稿情報表示ステップとは、実施の形態におけるＳ４１に対応する。また、投稿情報管理ステップとは、実施の形態におけるＳ４４、Ｓ４５、Ｓ５２に対応する。また、手動メール削除ステップとは、実施の形態におけるＳ２５に対応する。
【００４９】
（付記１）  クライアントから投稿された投稿情報を管理するＷｅｂ投稿管理サーバであって、
クライアントから送信された電子メールを保管するメール保管部と、
前記メール保管部において保管されている電子メールのうち所定の条件を満たす電子メールの一覧情報を作成し、該一覧情報をクライアントに表示させる一覧情報表示部と、
クライアントにより前記一覧情報から選択された電子メールに基づいて投稿情報を作成し、該投稿情報をクライアントに表示させる投稿情報表示部と、
前記投稿情報がクライアントにより送信された場合、送信された前記投稿情報を管理する投稿情報管理部と、
を備えてなるＷｅｂ投稿管理サーバ。
（付記２）  付記１に記載のＷｅｂ投稿管理サーバにおいて、
前記投稿情報管理部は更に、前記投稿情報を前記メール保管部への電子メールとして送信することを特徴とするＷｅｂ投稿管理サーバ。
（付記３）  付記１または付記２に記載のＷｅｂ投稿管理サーバにおいて、
前記一覧情報と前記投稿情報は、添付ファイルの情報を含むことを特徴とするＷｅｂ投稿管理サーバ。
（付記４）  付記１乃至付記３のいずれかに記載のＷｅｂ投稿管理サーバにおいて、
前記所定の条件は、電子メールの送信元メールアドレスが所定のメールアドレスに一致する場合であることを特徴とするＷｅｂ投稿管理サーバ。
（付記５）  付記１乃至付記４のいずれかに記載のＷｅｂ投稿管理サーバにおいて、
更に、受信してから一定の期間が経過した電子メールを削除する自動メール削除部を備えることを特徴とするＷｅｂ投稿管理サーバ。
（付記６）  付記１乃至付記５のいずれかに記載のＷｅｂ投稿管理サーバにおいて、
更に、クライアントにより前記一覧情報から選択された電子メールを削除する手動メール削除部を備えることを特徴とするＷｅｂ投稿管理サーバ。
（付記７）  クライアントから投稿された投稿情報を管理するＷｅｂ投稿管理方法であって、
クライアントから送信された電子メールを保管するメール保管ステップと、
前記メール保管ステップにおいて保管されている電子メールのうち所定の条件を満たす電子メールの一覧情報を作成し、該一覧情報をクライアントに表示させる一覧情報表示ステップと、
クライアントにより前記一覧情報から選択された電子メールに基づいて投稿情報を作成し、該投稿情報をクライアントに表示させる投稿情報表示ステップと、
前記投稿情報がクライアントにより送信された場合、送信された前記投稿情報を管理する投稿情報管理ステップと、
を備えてなるＷｅｂ投稿管理方法。
（付記８）  付記７に記載のＷｅｂ投稿管理方法において、
前記投稿情報管理ステップは更に、前記投稿情報を前記メール保管ステップへの電子メールとして送信することを特徴とするＷｅｂ投稿管理方法。
（付記９）  付記７または付記８に記載のＷｅｂ投稿管理方法において、
前記一覧情報と前記投稿情報は、添付ファイルの情報を含むことを特徴とするＷｅｂ投稿管理方法。
（付記１０）  付記７乃至付記９のいずれかに記載のＷｅｂ投稿管理方法において、
前記所定の条件は、電子メールの送信元メールアドレスが所定のメールアドレスに一致する場合であることを特徴とするＷｅｂ投稿管理方法。
（付記１１）  付記７乃至付記１０のいずれかに記載のＷｅｂ投稿管理方法において、
更に、受信してから一定の期間が経過した電子メールを削除する自動メール削除ステップを備えることを特徴とするＷｅｂ投稿管理方法。
（付記１２）  付記７乃至付記１１のいずれかに記載のＷｅｂ投稿管理方法において、
更に、クライアントにより前記一覧情報から選択された電子メールを削除する手動メール削除ステップを備えることを特徴とするＷｅｂ投稿管理方法。
（付記１３）  クライアントから投稿された投稿情報を管理するＷｅｂ投稿管理方法をコンピュータに実行させるＷｅｂ投稿管理プログラムであって、
クライアントから送信された電子メールを保管するメール保管ステップと、
前記メール保管ステップにおいて保管されている電子メールのうち所定の条件を満たす電子メールの一覧情報を作成し、該一覧情報をクライアントに表示させる一覧情報表示ステップと、
クライアントにより前記一覧情報から選択された電子メールに基づいて投稿情報を作成し、該投稿情報をクライアントに表示させる投稿情報表示ステップと、
前記投稿情報がクライアントにより送信された場合、送信された前記投稿情報を管理する投稿情報管理ステップと、
をコンピュータに実行させるＷｅｂ投稿管理プログラム。
（付記１４）  付記１３に記載のＷｅｂ投稿管理プログラムにおいて、
前記投稿情報管理ステップは更に、前記投稿情報を前記メール保管ステップへの電子メールとして送信することを特徴とするＷｅｂ投稿管理プログラム。
（付記１５）  付記１３または付記１４に記載のＷｅｂ投稿管理プログラムにおいて、
前記一覧情報と前記投稿情報は、添付ファイルの情報を含むことを特徴とするＷｅｂ投稿管理プログラム。
（付記１６）  付記１３乃至付記１５のいずれかに記載のＷｅｂ投稿管理プログラムにおいて、
前記所定の条件は、電子メールの送信元メールアドレスが所定のメールアドレスに一致する場合であることを特徴とするＷｅｂ投稿管理プログラム。
（付記１７）  付記１３乃至付記１６のいずれかに記載のＷｅｂ投稿管理プログラムにおいて、
更に、受信してから一定の期間が経過した電子メールを削除する自動メール削除ステップを備えることを特徴とするＷｅｂ投稿管理プログラム。
（付記１８）  付記１３乃至付記１７のいずれかに記載のＷｅｂ投稿管理プログラムにおいて、
更に、クライアントにより前記一覧情報から選択された電子メールを削除する手動メール削除ステップを備えることを特徴とするＷｅｂ投稿管理プログラム。
【図面の簡単な説明】
【００５０】
【図１】本発明に係るＷｅｂ投稿システムの構成の一例を示すブロック図である。
【図２】本発明に係るＷｅｂ投稿管理サーバにおける投稿文書メールの登録の動作の一例を示すフローチャートである。
【図３】本発明に係る投稿文書メールデータベースの構成の一例を示す表である。
【図４】本発明に係る投稿の動作の一例を示すフローチャートである。
【図５】本発明に係る投稿文書メール一覧画面の一例を示す図である。
【図６】本発明に係る投稿文書メール一覧画面の別の一例を示す図である。
【図７】本発明に係る投稿画面の一例を示す図である。
【図８】従来のＷｅｂ投稿システムの構成の一例を示すブロック図である。
【符号の説明】
【００５１】
１  クライアント、２  Ｗｅｂ投稿管理サーバ、３ａ，３ｂ  メールサーバ、１１  メーラー、１３  ブラウザ、２１  投稿管理部、２２  メール保管部。
【図１】
2006113969.tif 000003
【図２】
2006113969.tif 000004
【図３】
2006113969.tif 000005
【図４】
2006113969.tif 000006
【図５】
2006113969.tif 000007
【図６】
2006113969.tif 000008
【図７】
2006113969.tif 000009
【図８】
2006113969.tif 000010